(57)【要約】【課題】棒状導光部材の動きを的確に制御することが出来る、新規な構造の遊技機用発光装置を提供することを、目的とする。【解決手段】駆動源６１の駆動力が伝達されると共に、棒状導光部材４２の長手方向一端側が固定されるベース部材６０に対して、光学式位置検出手段１１１によるベース部材６０の位置検出のための検出片８９を有する基板支持部材６２が組み付けられた状態で、ベース部材６０と基板支持部材６２が協働することにより、棒状導光部材４２に入射する光を発する発光源８４が実装された基板８６を支持すると共に、ベース部材６０と基板支持部材６２に組み付けられてベース部材６０及び基板支持部材６２と協働することにより棒状導光部材４２の長手方向一端側と発光源８４を覆い隠すカバー部材６４とベース部材６０との少なくとも一方に発光源８４の光を反射する反射面１００を設けた。【選択図】図６
2007319239.tif 000002
【特許請求の範囲】
【請求項１】
駆動源と、
該駆動源の駆動力が伝達されることで変位せしめられるベース部材と、
該ベース部材の変位した位置を検出する光学式位置検出手段と、
長手方向一端側が前記ベース部材に重ね合わされた状態で固定されることにより、該ベース部材への重ね合わせ方向での投影において該ベース部材の外周面から該ベース部材への重ね合わせ方向に対して直交する方向に突出した状態で配される棒状導光部材と、
該棒状導光部材に入射する光を発する発光源が実装された基板と、
前記ベース部材に組み付けられた状態で該ベース部材と協働することによって前記基板を前記棒状導光部材の長手方向一端側の端面に対向させて支持すると共に、前記光学式位置検出手段による該ベース部材の位置の検出に用いられる検出片が設けられた基板支持部材と、
前記ベース部材と前記基板支持部材に組み付けられた状態で、該ベース部材及び該基板支持部材と協働することにより、前記棒状導光部材の長手方向一端側と前記発光源を覆い隠すカバー部材と、
前記カバー部材と前記ベース部材の少なくとも一方に設けられて、前記発光源が発する光を反射する反射面と
を、備えていることを特徴とする遊技機用発光装置。
【発明の詳細な説明】
【技術分野】
【０００１】
本発明は、棒状の導光部材の軸方向一端側にＬＥＤ等の発光源が配された遊技機用発光装置に関するものである。
【背景技術】
【０００２】
従来から、パチンコ機やスロットマシン等の遊技機においては、遊技を盛り上げること等を目的として、様々な発光装置が設けられている。その一種として、例えば、特許文献１に記載されているように、透明な柱状導光体の長手方向一端側に配置された光源が発する光を柱状導光体に入射させて、柱状導光体内を進むようにし、かかる柱状導光体内を進む光を柱状導光体の周面に形成された反射層で反射させる発光装置が知られている。
【０００３】
しかしながら、上述の如き構造の発光装置においては、特許文献１にも示されているように、遊技機に固定された状態で使用されるようになっていることから、遊技者を楽しませるという点において、十分な効果を発揮することが難しい。
【０００４】
そこで、遊技者を楽しませるために、上述の如き構造とされた発光装置を動かすことが考えられる。具体的には、例えば、柱状導光体において光源が配置された側を中心として柱状導光体やその長手方向一端側に配置された光源等を一軸回りに回動させること等が考えられる。
【０００５】
ところで、柱状導光体において光源が配置された側を中心として柱状導光体やその長手方向一端側に配置された光源等を一軸回りに回動させる場合、例えば、柱状導光体の長手方向一端側や光源等をケースに収容し、ステッピングモータ等で構成された電動モータの駆動力を減速手段としての減速歯車列を介してケースに伝達させて、ケース自体を一軸回りに回動させることにより、柱状導光体やその長手方向一端側に配置された光源等を一軸回りに回動させることが考えられる。
【０００６】
また、遊技者を楽しませるという観点から考えると、音等の他の演出手段や遊技状況等と連携させて、柱状導光体を回動制御することが望ましい。そこで、柱状導光体の回動制御を的確に行うために、柱状導光体の長手方向一端が収容されるケースに検出片を設けると共に、従来から公知の光電スイッチ等の光学式位置検出手段を設けて、柱状導光体の光学式位置検出手段による回動位置検出をケースに設けられた検出片を利用して行うことが考えられる。
【０００７】
そこにおいて、上述の如く柱状導光体の長手方向一端や光源をケースに収容する場合、光源の発する光が柱状導光体に入射しやすくするために、ケースの内面にメッキ処理を施して、ケースの内面を反射面とすることが考えられる。
【０００８】
しかしながら、ケースの内面だけにメッキ処理を施す場合、ケースを構成する部材（以下、ケース構成部材と称する）に対してマスキングをし、必要な部分にだけメッキ処理を施す必要があり、かかる作業が面倒になってしまうという問題がある。
【０００９】
そこで、ケース構成部材の全体にメッキ処理を施すことも考えられるが、この場合、柱状導光体の光学式位置検出手段による回動位置検出に用いられる検出片までメッキ処理が施されてしまうこととなる。これにより、取付片の光の反射率が高くなって、外乱光などを取付片で反射してしまうおそれがある。その結果、柱状導光体の光学式位置検出手段による回動位置検出に不具合が生じるおそれがある。
【００１０】
なお、検出片にマスキングを施した状態でメッキ処理をすることも考えられるが、その作業が面倒であることに変わりはない。
【００１１】
また、光源の発する光が柱状導光体に入射し易くするためには、上述のようにケースの内面を反射面にするだけではなく、光源、延いては、光源が実装された基板の配置に関しても配慮する必要がある。
【００１２】
【特許文献１】特開２００３−３０８７０５号公報
【発明の開示】
【発明が解決しようとする課題】
【００１３】
ここにおいて、本発明は、上述の如き事情を背景として為されたものであって、その解決課題とするところは、光学式位置検出手段を用いる場合に棒状導光部材の動きを的確に制御することが出来る、新規な構造の遊技機用発光装置を提供することにある。
【課題を解決するための手段】
【００１４】
以下、このような課題を解決するために為された本発明の態様を記載する。なお、以下に記載の各態様において採用される構成要素は、可能な限り任意の組み合わせで採用可能である。
【００１５】
本発明の遊技機用発光装置は、駆動源の駆動力が伝達されることで駆動せしめられるベース部材に対して、長手方向一端側が重ね合わされた状態で固定されることにより、ベース部材への重ね合わせ方向での投影において、ベース部材の外周面からベース部材への重ね合わせ方向に直交する方向に突出した状態で棒状導光部材が配されるようになっていると共に、棒状導光部材が固定されるベース部材に対して、光学式位置検出手段によるベース部材の位置の検出に用いられる検出片が設けられた基板支持部材が組み付けられた状態で、これらベース部材と基板支持部材が協働することにより、棒状導光部材に入射する光を発する発光源が実装された基板を棒状導光部材の長手方向一端側の端面に対向させて支持するようになっており、更に、ベース部材と基板支持部材に組み付けられた状態でベース部材及び基板支持部材と協働することによって棒状導光部材の長手方向一端側と発光源を覆い隠すカバー部材とベース部材との少なくとも一方に対して発光源が発する光を反射する反射面が設けられるようになっていることを、特徴とする。
【００１６】
このような本態様に従う構造とされた遊技機用発光装置においては、カバー部材とベース部材の少なくとも一方に対して発光源が発する光を反射する反射面が設けられていることから、光学式位置検出手段によるベース部材の位置の検出に用いられる検出片が設けられた基板支持部材に対して、例えば、メッキ処理を施す等して、反射面を形成する必要がなくなる。これにより、光学式位置検出手段によるベース部材の位置の検出に際しての誤作動の発生を有利に回避することが可能となる。その結果、ベース部材に固定される棒状導光部材の駆動制御を的確に行うことが可能となる。
【００１７】
また、本発明では、基板支持部材のベース部材への組付状態下において、基板支持部材とベース部材が協働することにより、基板が棒状導光部材の長手方向一端側の端面に対向せしめられた状態で支持されるようになっていることから、ベース部材と基板支持部材に対してカバー部材を組み付ける際に基板を予め位置決めしておくことが可能となる。これにより、基板を位置決めする作業を行いつつ、カバー部材をベース部材と基板支持部材に対して組み付ける作業を行う必要がなくなる。その結果、カバー部材をベース部材と基板支持部材に対して組み付ける際の作業の煩雑化を有利に回避することが可能となる。
【００１８】
なお、本発明において、駆動源とは、電気的に駆動制御可能なものであれば、特に限定されることはなく、例えば、従来から公知のステッピングモータ等の電動モータやソレノイド等が採用される。
【００１９】
また、本発明において、駆動源として電動モータを採用する場合、ベース部材は、電動モータによって直接駆動変位せしめられるようになっていても良いが、減速手段としての減速歯車列等を介して駆動変位せしめられるようになっていることが望ましい。これにより、電動モータのトルクを増幅させて、ベース部材に伝達させることが可能となる。その結果、電動モータの全体サイズをコンパクトにすることが可能となる。
【００２０】
さらに、本発明において、光学式位置検出手段とは、例えば、光源が発する光を検出片が遮ったことを検出したりすることにより、ベース部材の位置を検出する機能を有していれば、特に限定されることなく、従来から公知の光電スイッチ等が採用される。
【００２１】
更にまた、本発明において、棒状導光部材は中実であっても良いし、中空であっても良い。更に、本発明において、棒状導光部材の形成材料としては、屈折率が高い透明材料であれば、特に限定されることはなく、例えば、ガラスやアクリル樹脂，ポリスチレン，ポリカーボネート等が採用される。更にまた、本発明における棒状導光部材の成形方法としては、射出成形や押し出し成形等が考えられる。
【００２２】
また、本発明において、棒状導光部材の長手方向一端側の端面には、発光源が収容される凹部が形成されていることが望ましい。これにより、発光源が発する光を集光させて棒状導光部材へと入射させることが可能となる。
【００２３】
また、本発明において、発光源とは、発光ダイオード（ＬＥＤ）や有機ＥＬ等の従来から公知のものが何れも採用可能である。そこにおいて、本発明では、発光源が発する光の色は一色に限定されることはなく、例えば、発光源としてフルカラーＬＥＤを採用することにより、多数の色の光を発することが出来るようにしても良い。また、発光源の数は一つに限定されず、二つ以上の発光源を採用することも可能である。そこにおいて、複数の発光源を採用する場合、これら複数の発光源のそれぞれが発する光の色は互いに異なっていることが望ましく、それによって、各発光源が発する光の色を組み合わせることにより、様々な色の光を発することが可能となる。
【００２４】
また、本発明の基板は、従来から公知のプリント基板によって有利に構成される。
【００２５】
さらに、本発明において、「ベース部材に組み付けられた状態でベース部材と協働することによって基板を棒状導光部材の長手方向一端側の端面に対向させて支持する」とは、カバー部材をベース部材と基板支持部材に対して組み付ける際に、基板を棒状導光部材の長手方向一端側の端面と対向するように位置決めして支持する態様であれば、特に限定されることはなく、例えば、基板支持部材のベース部材への組付方向で基板が変位することを阻止する第一の変位阻止手段をベース部材と基板支持部材の何れか一方に設けると共に、基板支持部材のベース部材への組付方向に直交する方向で基板が変位することを阻止する第二の変位阻止手段をベース部材と基板支持部材の他方に設けておき、これらの変位阻止手段を利用することにより、基板を位置決めして支持すること等が考えられる。
【００２６】
また、本発明において、反射面は、カバー部材とベース部材の少なくとも一方にメッキ処理を施すことによって形成しても良いし、或いは、カバー部材とベース部材の少なくとも一方を金属材で形成することによって形成しても良い。
【発明を実施するための最良の形態】
【００２７】
以下、本発明を更に具体的に明らかにするために、本発明の実施形態について、図面を参照しつつ、詳細に説明する。
【００２８】
先ず、図１には、遊技機としてのパチンコ機１０が示されている。このパチンコ機１０は、機体の外郭を為す外枠１２の開口前面側において、縦長方形の中枠１４が開閉及び着脱自在に組み付けられた構造とされている。また、中枠１４には、後述する遊技領域３０が形成された遊技盤１６（図２参照）が着脱自在に組み付けられており、かかる遊技領域３０が、中枠１４に対して開閉可能に組み付けられたガラス枠１８によって保持されているガラス板を通して遊技者に視認されるようになっている。そして、中枠１４に設けられた操作ハンドル２０に対して回動可能に装着された操作レバー２２が遊技者に回動操作されることにより、中枠１４に設けられた上皿２４に貯留されている遊技球が、図示しない球送り機構を介して発射装置（図示せず）に送られた後、遊技領域３０に向けて発射されるようになっている。
【００２９】
続いて、中枠１４に組み付けられている遊技盤１６について説明する。この遊技盤１６は、図２に示されているように、遊技板２６の表面側にレールセット２８が設けられた構造とされており、それによって、遊技板２６の表面側に略円形の遊技領域３０が区画形成されている。
【００３０】
このようにして形成された遊技領域３０の中央には、装飾物としてのセンター飾り３２が設けられている。このセンター飾り３２は、全体として額縁形状を呈しており、その開口部分を通じて、遊技板２６に取り付けられた液晶表示器３４の表示画面が遊技者に視認されるようになっている。
【００３１】
また、遊技領域３０においてセンター飾り３２の下方には、始動入賞装置３６と特別可動入賞装置３８がこの順番で設けられている。そして、遊技者が発射した遊技球が始動入賞装置３６に入賞すると、液晶表示器３４の表示画面において複数の特別図柄（図示せず）の変動表示が開始されるようになっており、かかる複数の特別図柄が所定の図柄組み合わせで停止表示された場合に、特別可動入賞装置３８の開口部を覆蓋する扉が開かれて、特別可動入賞装置３８への遊技球の入賞が可能となる特別遊技状態が発生するようになっている。
【００３２】
そこにおいて、本実施形態のセンター飾り３２には、本発明の一実施形態の遊技機用発光装置としての棒状発光装置４０が取り付けられている。この棒状発光装置４０は、図３に示されているように、装置本体４１が駆動機構４３によって駆動せしめられる構造とされている。
【００３３】
より詳細には、装置本体４１は、図４乃至６に示されているように、棒状導光部材としての導光ロッド４２を含んで構成されている。この導光ロッド４２は、アクリル樹脂等の透明な硬質材料によって形成されており、図７乃至図９に示されているように、全体として中心軸線が真っ直ぐに延びるストレートな棒状部材とされている。特に本実施形態では、導光ロッド４２の長手方向となる軸方向の中間部分において、一組の対辺が平行とされた台形断面で軸方向の一端側（図７における右端側）から他端側（図７における左端側）へ延びると共に、かかる台形断面の高さ寸法（図９における上下方向の寸法）が軸方向の一端側から他端側へと行くに従って次第に小さくなるように設定された露出部４４を備えている。なお、本実施形態では、露出部４４の台形断面において第二の対辺構成面４８（後述する）の側の二つの角には、角取りが施されている。
【００３４】
そこにおいて、本実施形態では、軸方向の一端側から他端側へ行くに従って、露出部４４の軸直角方向での断面形状である台形における一組の平行な対辺の離隔距離、即ち、台形の高さ寸法は次第に短くなるようにされているが、台形における一組の平行な対辺のそれぞれの長さ寸法は略一定となるようにされている。
【００３５】
また、本実施形態では、露出部４４の軸直角方向での断面形状である台形における一組の平行な対辺のそれぞれの中点が、一組の平行な対辺の両方に対して垂直に交わる一本の直線上に位置せしめられている。そして、本実施形態では、このような条件を満たす台形断面で露出部４４が軸方向の一端側から他端側へと延びるように形成されている。
【００３６】
すなわち、本実施形態では、露出部４４の軸直角方向での断面形状である台形において一組の平行な対辺のうち長さが短いほうを構成する面４６（以下、第一の対辺構成面４６と称する）と、一組の平行な対辺のうち長さが長いほうを構成する面４８（以下、第二の対辺構成面４８と称する）との両方が、略一定の幅寸法で軸方向の一端側から他端側へと延びる平面とされているのであり、また、露出部４４の軸直角方向での断面形状である台形における二つの斜辺を構成する面のそれぞれが、軸方向の一端側から他端側へと行くに従って幅狭となるように延びる平面とされているのである。
【００３７】
そして、上述の如く、露出部４４の軸直角方向での断面形状である台形の高さ寸法が軸方向の一端側から他端側へと行くに従って次第に小さくなるように、本実施形態では、第二の対辺構成面４８が軸方向の一端側から他端側へと行くに従って次第に第一の対辺構成面４６に接近する方向へ傾斜せしめられている。
【００３８】
また、第一の対辺構成面４６は第二の対辺構成面４８よりも幅狭とされており、特に本実施形態では、第一の対辺構成面４６の幅寸法は第二の対辺構成面４８の幅寸法の略半分とされている。
【００３９】
また、このような露出部４４の軸方向一端側には、露出部４４の軸直角方向での断面（台形断面）よりも大きな断面を有する一端側取付部５０が一体形成されている一方、露出部４４の軸方向他端側にも、露出部４４の軸直角方向での断面（台形断面）よりも大きな断面を有する他端側取付部５２が一体形成されている。
【００４０】
そこにおいて、本実施形態では、一端側取付部５０と他端側取付部５２のそれぞれにおける第一の対辺構成面４６側の面が、第一の対辺構成面４６と面一とされた平坦な部分を備えている。これにより、一端側取付部５０と他端側取付部５２のそれぞれにおいて第一の対辺構成面４６側の面における平坦な部分と第一の対辺構成面４６とが同一平面上に位置せしめられて滑らかに接続されている。
【００４１】
また、本実施形態の一端側取付部５０は、その軸方向の中間部分から一端側へと行くに従って次第に幅寸法が大きくなる拡幅部分５４を備えている。特に、本実施形態では、かかる拡幅部分５４における幅方向（図７における上下方向）へ広がる割合が幅方向の一方（図７における上方）と他方（図７における下方）で異なっている。更にまた、本実施形態では、導光ロッド４２の長手方向一端側の端面となる拡幅部分５４の幅広側端面５５は、露出部４４の軸方向、即ち、導光ロッド４２の長手方向に対して傾斜している。
【００４２】
なお、このような導光ロッド４２は、射出成形等によって有利に成形される。
【００４３】
また、本実施形態では、導光ロッド４２における第一の対辺構成面４６に対して、反射層としての反射テープ５６が貼付されている。この反射テープ５６は、白色顔料を含む塗料が塗布されたテープによって構成されている。そして、このような反射テープ５６は、白色顔料を含む塗料が塗布された面が第一の対辺構成面４６に貼り付けられるようになっており、特に本実施形態では、一端側取付部５０や他端側取付部５２のそれぞれにおいて第一の対辺構成面４６側に位置する面にも、反射テープ５６が貼り付けられるようになっている。なお、上述の説明から明らかなように、本実施形態では、反射テープ５６において導光ロッド４２に貼り付けられるほうの面が反射面とされているのである。
【００４４】
そして、上述の如く反射テープ５６が貼付された導光ロッド４２は、一端側取付部５０がハウジング５８に収容されるようになっている。このハウジング５８は、ベース部材としての第一のハウジング構成部材６０と、基板支持部材としての第二のハウジング構成部材６２と、カバー部材としての第三のハウジング構成部材６４とが互いに組み付けられることによって構成されている。
【００４５】
第一のハウジング構成部材６０は、ＡＢＳ等の硬質の合成樹脂材料によって形成されており、図１０に示されているように、全体として円板形状を呈している。また、第一のハウジング構成部材６０には、ステッピングモータによって構成された駆動源としての電動モータ６１（後述する）の回転駆動力が伝達されることで回転駆動せしめられる駆動軸６６が突設されている。これにより、第一のハウジング構成部材６０に連結された駆動軸６６に電動モータ６１の駆動力が伝達されることで、第一のハウジング構成部材６０が一軸回りに回動するようになっている。
【００４６】
そして、このような第一のハウジング構成部材６０に対して、導光ロッド４２における一端側取付部５０が重ね合わされてねじ止め固定されるようになっている。具体的には、図１１に示されているように、本実施形態の場合、第一のハウジング構成部材６０に形成された収容凹部６８に対して導光ロッド４２の一端側取付部５０を収容位置せしめると共に、一端側取付部５０の幅方向他方の側に突設された突出片７４に形成されている位置決め用孔７６に対して第一のハウジング構成部材６０に突設された位置決め用突起７８を挿通せしめることにより、第一のハウジング構成部材６０に対して一端側取付部５０、延いては、導光ロッド４２を第一のハウジング構成部材６０に位置決めした後、一端側取付部５０の幅方向一方の側に突設された突出片７０に形成されているねじ孔７２に挿通されるねじ７３によって、導光ロッド４２を第一のハウジング構成部材６０に重ね合わせてねじ止め固定するようになっている。
【００４７】
そして、このように導光ロッド４２が第一のハウジング構成部材６０に固定されることにより、導光ロッド４２は、図１１に示されているように、その中心軸線：Ｌ１が第一のハウジング構成部材６０の回動中心：Ｏと交わった状態とされて、駆動軸６６の軸直角方向、即ち、第一のハウジング構成部材６０に対する導光ロッド４２の重ね合わせ方向に対して直交する方向に突出せしめられるようになっている。特に、本実施形態では、駆動軸６６の軸方向、即ち、第一のハウジング構成部材６０に対する導光ロッド４２の重ね合わせ方向での投影において、露出部４４の略全体が第一のハウジング構成部材６０の外周面５９よりも外側に位置するようになっている。
【００４８】
上述の如き構造とされた第一のハウジング構成部材６０には、第二のハウジング構成部材６２が組み付けられるようになっている。この第二のハウジング構成部材６２は、第一のハウジング構成部材６０と同様に、ＡＢＳ等の硬質の合成樹脂材料によって形成されており、本実施形態では、図１１や図１２にも示されているように、第一のハウジング構成部材６０に重ね合わせて組み付けられた状態で、第一のハウジング構成部材６０の外周面５９に対して重ね合わせ方向で滑らかに接続する円弧状湾曲面８７を備えている。
【００４９】
そこにおいて、第二のハウジング構成部材６２における円弧状湾曲面８７は、第一のハウジング構成部材６０の周方向の全周に亘って延びるように形成されていても良いが、第一のハウジング構成部材６０の周方向の半周以下の長さで形成されていることが望ましい。蓋し、第二のハウジング構成部材６２における円弧状湾曲面８７の周方向長さが第一のハウジング構成部材６０の周方向長さの半分よりも長い場合には、第一のハウジング構成部材６０と第三のハウジング構成部材６４を直接に固定することが困難になるからである。
【００５０】
また、本実施形態では、第二のハウジング構成部材６２に対して、円弧状湾曲面８７とは反対側に開口する切欠８８が形成されており、特に本実施形態では、かかる切欠８８は矩形断面でストレートに延びるように形成されている。
【００５１】
更にまた、第二のハウジング構成部材６２には、平面視において円弧状湾曲面８７から外側に向かって突出する検出片８９が設けられており、特に本実施形態では、かかる検出片８９は、図１１や図１２にも示されているように、第二のハウジング構成部材６２の上面から上方に向かって突設された凸部９１に対して一体的に設けられている。そこにおいて、本実施形態では、凸部９１において検出片８９が設けられた面は円弧状湾曲面８７に対して滑らかに接続されている。なお、凸部９１は、必ずしも必要なものではなく、検出片８９が円弧状湾曲面８７から突設されていても良い。
【００５２】
このような構造とされた第二のハウジング構成部材６２は、周方向両端のそれぞれに突出形成された組付用突起８０が第一のハウジング構成部材６０に形成された組付用穴８２に挿通されることにより、第一のハウジング構成部材６０に対して組み付けられるようになっている。
【００５３】
そこにおいて、本実施形態では、図１１や図１２に示されているように、発光源としてのフルカラーＬＥＤ８４が実装された基板としてのＬＥＤ基板８６を、切欠８８内に収容位置せしめて、ＬＥＤ基板８６に形成された一対の係止片９０，９０のそれぞれを第二のハウジング構成部材６２に係止させた状態で、第二のハウジング構成部材６２を第一のハウジング構成部材６０に対して組み付けるようになっている。これにより、ＬＥＤ基板８６の第一のハウジング構成部材６０側への変位が阻止されるようになっている。このことから明らかなように、本実施形態では、一対の係止片９０，９０と第二のハウジング構成部材６２によって、第一の変位阻止手段が構成されているのである。
【００５４】
また、上述の如く第二のハウジング構成部材６２が第一のハウジング構成部材６０に組み付けられた状態で、ＬＥＤ基板８６において一対の係止片９０，９０が突出する方向に直交する方向であって、且つ、一対の係止片９０，９０が形成されたほうとは反対側の端部は、それぞれ、第一のハウジング構成部材６０に形成された切欠９２の内周面に開口する溝９４内に位置せしめられるようになっている。これにより、ＬＥＤ基板８６が駆動軸６６の中心軸線、即ち、第一のハウジング構成部材６０の回動中心：Ｏ側に変位することが阻止されるようになっている。このことから明らかなように、本実施形態では、ＬＥＤ基板８６と溝９４によって、第二の変位阻止手段が構成されているのである。
【００５５】
すなわち、本実施形態では、第一のハウジング構成部材６０と第二のハウジング構成部材６２が協働することによって支持されたＬＥＤ基板８６は、第一のハウジング構成部材６０側への変位と駆動軸６６の軸直角方向内方への変位と駆動軸６６回りの変位とが阻止されており、その結果、第一のハウジング構成部材６０及び第二のハウジング構成部材６２に対して位置決めされているのである。
【００５６】
また、上述の如く、第一のハウジング構成部材６０に組み付けられた第二のハウジング構成部材６２は、導光ロッド４２の軸方向一端側に位置せしめられている。これにより、上述の如く、第一のハウジング構成部材６０と第二のハウジング構成部材６２によって支持されたＬＥＤ基板８６は、図１１に示されているように、駆動軸６６の軸方向での投影において、導光ロッド４２の一端側取付部５０における拡幅部分５４の幅広側端面５５に対して対向位置せしめられている。
【００５７】
そこにおいて、本実施形態では、ＬＥＤ基板８６が第一のハウジング構成部材６０と第二のハウジング構成部材６２によって支持された状態下において、ＬＥＤ基板８６に実装されているフルカラーＬＥＤ８４は、図１１に示されているように、導光ロッド４２の一端側取付部５０における拡幅部分５４の幅広側端面５５に形成された凹部９６内に位置せしめられるようになっている。
【００５８】
なお、ＬＥＤ基板８６においてフルカラーＬＥＤ８４が実装された面と反対側の面に実装されたコネクタ（図示せず）は、第一のハウジング構成部材６０に形成された切欠９２内に位置せしめられるようになっている。
【００５９】
更にまた、上述の如き第一のハウジング構成部材６０と第二のハウジング構成部材６２に組み付けられる第三のハウジング構成部材６４は、第一のハウジング構成部材６０や第二のハウジング構成部材６２と同様に、ＡＢＳ等の硬質の合成樹脂材料によって形成されており、全体として底壁と周壁を備えたカップ形状を呈している。
【００６０】
このような第三のハウジング構成部材６４は、図１３に示されているように、その底壁から周壁の開口部分へ向かって突出するように設けられた一対の固定用支柱９５，９５が、第一のハウジング構成部材６０において上面に開口形成された一対の凹所９７，９７に嵌め入れられることによって、第二のハウジング構成部材６２が組み付けられた第一のハウジング構成部材６０に対して底壁が対向位置せしめられるように被せられて組み付けられるようになっている。そして、このように第三のハウジング構成部材６４が第一のハウジング構成部材６０に組み付けられた状態で、第三のハウジング構成部材６４が、第一のハウジング構成部材６０に対して、各凹所９７の底壁に貫設された挿通孔９８に挿通されて各固定用支柱９５に形成されたねじ孔９９に螺挿されるねじ１０１で固定されるようになっている。
【００６１】
そこにおいて、本実施形態では、第三のハウジング構成部材６４に対して、周壁部分の適当な位置において切欠が設けられており、それによって、上述の如く第三のハウジング構成部材６４が第一のハウジング構成部材６０に固定された状態で、これらの切欠内に導光ロッド４２や第二のハウジング構成部材６２が位置せしめられるようになっている。
【００６２】
すなわち、本実施形態では、第二のハウジング構成部材６２は、駆動軸６６の軸方向において、その全体が、第一のハウジング構成部材６０と第三のハウジング構成部材６４に挟まれるようにして、配設されるようになっている。なお、本実施形態のように第二のハウジング構成部材６２の全体が、駆動軸６６の軸方向において、第一のハウジング構成部材６０と第三のハウジング構成部材６４に挟まれるようにして配設される必要はないが、本実施形態の構成を採用することにより、駆動軸６６の軸方向の投影において、第二のハウジング構成部材６２が第三のハウジング構成部材６４によって隠れるようにすることが可能となる（図４参照）。
【００６３】
また、本実施形態では、上述の如く第三のハウジング構成部材６４が第一のハウジング構成部材６０に固定された状態で、第二のハウジング構成部材６２が収容位置せしめられる切欠内に形成された突起１０３が第二のハウジング構成部材６２に設けられた凸部９１の突出端面に開口形成された貫通孔１０５に挿通されるようになっている（図５参照）。
【００６４】
更にまた、上述の如く、第一のハウジング構成部材６０が第三のハウジング構成部材６４に固定されることにより、導光ロッド４２の一端側取付部５０が、第一のハウジング構成部材６０と第三のハウジング構成部材６４に挟まれた状態となる。これにより、導光ロッド４２の軸方向一端側が、第一乃至第三のハウジング構成部材６０，６２，６４が協働することによって構成されたハウジング５８に収容されて、覆い隠されるようになっている。また、フルカラーＬＥＤ８４もハウジング５８に収容されて、覆い隠されるようになっている。その結果、フルカラーＬＥＤ８４の発する光が導光ロッド４２に対して入射する方向で外部へ漏れ難くされている。
【００６５】
なお、ハウジング５８の内部空間は外部空間と遮断されていることが望ましいが、本実施形態のように、第一のハウジング構成部材６０に形成された切欠９２を通じて、第一のハウジング構成部材６０の裏面側、即ち、駆動軸６６が突設された面の側から外部空間と連通していても良い。要するに、フルカラーＬＥＤ８４の発する光が導光ロッド４２に対して入射する方向で外部へ漏れ難くされていれば、棒状発光装置４０のセンター飾り３２への取付状態で遊技者に視認され難い部分を通じて、ハウジング５８の内部空間が外部空間と連通していても良い。
【００６６】
また、図面上では明示されていないが、上述の如く、第三のハウジング構成部材６４が第一のハウジング構成部材６０と第二のハウジング構成部材６２に組み付けられた状態で、ＬＥＤ基板８６に設けられた一対の係止片９０，９０は、それぞれ、第三のハウジング構成部材６４の内面に形成された溝内に位置せしめられている。これにより、ＬＥＤ基板８６の駆動軸６６の軸直角方向での変位が一層有利に実現されるようになっていると共に、ＬＥＤ基板８６の第三のハウジング構成部材６４側への変位も阻止されるようになっている。
【００６７】
そこにおいて、本実施形態では、ハウジング５８を構成する部材のうち、第一のハウジング構成部材６０と第三のハウジング構成部材６４に対してメッキ処理が施されている。これにより、ハウジング５８の内面１００のうち少なくとも幅広側端面５５に形成された凹部９６においてフルカラーＬＥＤ８４が発する光が入射する面、即ち、幅広側端面５５と略平行な面よりも露出部４４側の領域が鏡面とされている。その結果、本実施形態では、一端側取付部５０を取り囲む領域の略全体が鏡面となり、ハウジング５８の内面１００の殆どの部分が鏡面となっている。このことから明らかなように、本実施形態では、第一のハウジング構成部材６０と第三のハウジング構成部材６４においてハウジング５８の内面１００を構成する部分によって反射面が構成されている。
【００６８】
このような構造とされたハウジング５８には、電動モータ６１の出力軸に設けられた出力歯車６３と、出力歯車６３に噛み合わされた中間歯車６５と、駆動軸６６に設けられて、中間歯車６５に噛み合わされた伝達歯車６７を介して、電動モータ６１の駆動力が伝達されるようになっている。これにより、ハウジング５８が一軸回りに回動せしめられるようになっている。その結果、導光ロッド４２が軸方向一端側を中心にして一軸回りに回動せしめられるようになっている。なお、このことから明らかなように、本実施形態では、出力歯車６３と中間歯車６５と伝達歯車６７によって減速歯車列６９が構成されている。そして、かかる減速歯車列６９と電動モータ６１によって駆動機構４３が構成されている。
【００６９】
また、本実施形態では、導光ロッド４２の軸方向他端側には、カバー１０２が設けられている。このカバー１０２は、第一のカバー構成部材１０４と第二のカバー構成部材１０６が導光ロッド４２における軸方向他端側に設けられた他端側取付部５２を内部に収容するようにして組み付けられた状態でねじ止め固定されることにより、導光ロッド４２の軸方向他端側に取り付けられるようになっている。これにより、後述の如く露出部４４内を進んできた光が導光ロッド４２における他端側取付部５２から外部へと漏れ難いように、導光ロッド４２の軸方向他端側がカバー１０２で覆い隠されているのである。その結果、本実施形態では、導光ロッド４２における露出部４４のみが遊技者に視認されるようになっている。なお、カバー１０２を構成する各部材１０４，１０６は、ＡＢＳ等の硬質の合成樹脂材料によって形成されている。
【００７０】
そこにおいて、本実施形態では、カバー１０２を構成する各部材１０４，１０６に対してメッキ処理が施されており、それによって、カバー１０２の内面１０８の全体が鏡面とされている。
【００７１】
このような構造とされた棒状発光装置４０は、例えば、減速歯車列６９が収容されるギアボックス１１０が、センター飾り３２の適当な位置に対して、ねじ等の固定手段で固定されることにより、センター飾り３２に対して取り付けられるようになっている。
【００７２】
そこにおいて、ギアボックス１１０には、装置本体４１の回動位置を検出する光学式位置検出手段としての光電スイッチ１１１（図１４参照）が取り付けられた検出手段支持部材１１２が固定されている。なお、図３に示されているように、光電スイッチ１１１は、検出手段支持部材１１２に取り付けられた状態で、スイッチカバー１１３によって覆い隠されている。そして、かかる光電スイッチ１１１による第一のハウジング構成部材６０、延いては、装置本体４１の回動位置の検出に基づいて、装置本体４１が回動制御されるようになっている。
【００７３】
因みに、図１４では、光電スイッチ１１１において発光部から受光部へと向かう光が検出片８９によって遮られた状態を示しており、本実施形態では、かかる検出片８９の位置が装置本体４１の原点位置とされている。
【００７４】
また、棒状発光装置４０がセンター飾り３２に取り付けられた状態下において、導光ロッド４２における第一の対辺構成面４６は液晶表示器３４の表示画面側、即ち、遊技者側とは反対側に位置せしめられている一方、導光ロッド４２における第二の対辺構成面４８は遊技者側に位置せしめられている。これにより、図２に示されているように、遊技者側からは第二のハウジング構成部材６２、即ち、メッキ処理が施されていない部材の外形線、特に、円弧状湾曲面８７が見え難くなる。その結果、遊技者側から見たハウジング５８は、恰も表面全体にメッキ処理が施されているかの如き外観を呈するようになる。
【００７５】
そして、本実施形態では、例えば、液晶表示器３４の表示画面において複数の特別図柄が所定の図柄組み合わせで停止表示される可能性がある場合や、特別遊技状態が発生している場合等において、電動モータ６１の回転駆動力が減速歯車列６９を介して駆動軸６６に伝達されて、導光ロッド４２が液晶表示器３４の表示画面の前方で一軸回りに回動せしめられるようになっている。
【００７６】
このような構造とされた棒状発光装置４０においては、光電スイッチ１１１による装置本体４１（導光ロッド４２）の回動位置検出に用いられる検出片８９が設けられた第二のハウジング構成部材６２に対してメッキ処理が施されていないことから、光電スイッチ１１１が誤作動しないようにすることが可能となる。
【００７７】
また、第一のハウジング構成部材６０に対して第二のハウジング構成部材６２を組み付ける際にＬＥＤ基板８６を位置決め支持することが可能とされていることから、第一のハウジング構成部材６０に対して第三のハウジング構成部材６４を組み付ける際の作業を容易にすることが可能となる。
【００７８】
さらに、本実施形態では、導光ロッド４２の軸方向一端側に第二のハウジング構成部材６２が位置せしめられていると共に、かかる第二のハウジング構成部材６２から外方に突出して検出片８９が一体形成されていることから、検出片８９が導光ロッド４２の突出方向とは略反対側に突出するようになっている。その結果、導光ロッド４２の発光等が光電スイッチ１１１の回動位置検出作動に悪影響を及ぼすことを有利に回避することが可能となる。
【００７９】
また、本実施形態では、電動モータ６１の駆動力が減速歯車列６９を介して駆動軸６６に伝達されるようになっていることから、電動モータ６１のトルクを増幅して駆動軸６６に伝達することが可能となる。その結果、採用される電動モータ６１の全体サイズを一層小さくすることが可能となる。
【００８０】
更にまた、本実施形態では、フルカラーＬＥＤ８４の発する光が導光ロッド４２に入射した後に導光ロッド４２内を軸方向の一端側から他端側へと進むようになっている。
【００８１】
そこにおいて、本実施形態では、導光ロッド４２の露出部４４における第二の対辺構成面４８は、軸方向の一端側から他端側へと行くに従って第一の対辺構成面４６に接近する方向へ傾斜せしめられていることから、導光ロッド４２内に進入してきた光が第一の対辺構成面４６に貼付された反射テープ５６と第二の対辺構成面４８との間での反射を繰り返しながら露出部４４の軸方向の一端側から他端側へ導かれることを有利に実現することが可能となる。その結果、露出部４４内を進む際に反射テープ５６で反射される等して第二の対辺構成面４８を通過する光の量を露出部４４の軸方向の全体に亘って略均一にすることが可能となる。
【００８２】
また、本実施形態では、導光ロッド４２の露出部４４における軸直角方向での断面が台形とされていることから、導光ロッド４２内に進入してきた光のうち光度の弱い光よりも光度の強い光を露出部４４内へ有利に導くことが可能となる。これにより、露出部４４内を進む際に第二の対辺構成面４８を通過する光の大部分を光度の強い光とすることが可能となる。その結果、遊技者に視認される光、即ち、第二の対辺構成面４８を通過する光を鮮明なものにすることが可能となる。
【００８３】
更にまた、本実施形態では、導光ロッド４２における一端側取付部５０とフルカラーＬＥＤ８４がハウジング５８によって覆い隠されていることから、フルカラーＬＥＤ８４が発する光の導光ロッド４２への入射効率を高めることが可能となる。その結果、露出部４４内を進む際に反射テープ５６で反射される等して第二の対辺構成面４８を通過する光の量を確保することが可能となる。
【００８４】
特に、本実施形態では、ハウジング５８の内面１００のうち少なくとも導光ロッド４２に対してフルカラーＬＥＤ８４の発する光が入射する面よりも露出部４４側の略全体が鏡面とされていることから、フルカラーＬＥＤ８４が発する光の導光ロッド４２への入射効率を一層高めることが可能となる。その結果、露出部４４内を進む際に反射テープ５６で反射される等して第二の対辺構成面４８を通過する光の量を一層確保することが可能となる。
【００８５】
加えて、本実施形態では、フルカラーＬＥＤ８４が、ハウジング５８に収容された状態で、導光ロッド４２の一端側取付部５０の拡幅部分５４において幅広側端面に形成された凹部９６内に位置せしめられていることから、導光ロッド４２内に進入してきた光を集光させることが可能となる。その結果、露出部４４内を進む際に反射テープ５６で反射される等して第二の対辺構成面４８を通過する光の量をより一層確保することが可能となる。
【００８６】
また、本実施形態では、導光ロッド４２における他端側取付部５２を覆い隠すカバー１０２が取り付けられており、しかも、そのカバー１０２の内面１０８が鏡面とされていることから、露出部４４内を軸方向の一端側から他端側へと進む際に反射テープ５６で反射される等して第二の対辺構成面４８を通過せずに軸方向他端側まで到達した光をカバー１０２の内面１０８で反射させることにより、露出部４４内を軸方向の他端側から一端側へと進ませることが可能となる。そして、上述の如く反射された光が露出部４４内を軸方向の他端側から一端側へと進む際に反射テープ５６で反射される等して第二の対辺構成面４８を通過するようにすることが可能となる。その結果、露出部４４内を進む際に反射テープ５６で反射される等して第二の対辺構成面４８を通過する光の量をより一層確保することが可能となる。
【００８７】
以上、本発明の一実施形態について詳述してきたが、これはあくまでも例示であって、本発明は、かかる実施形態における具体的な記載によって、何等、限定的に解釈されるものではない。
【００８８】
例えば、前記実施形態において、棒状発光装置４０はガラス枠等に取り付けられていても良い。
【００８９】
また、本発明の遊技機用発光装置は、直線的に駆動するようになっていても良い。
【００９０】
更にまた、前記実施形態では、遊技機用発光装置をパチンコ機に採用した場合の一具体例について詳述してきたが、本発明の遊技機用発光装置は、スロットマシン等に採用することも、勿論可能である。
【００９１】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００９２】
【図１】本発明の棒状発光装置が取り付けられているパチンコ機の正面図。
【図２】同パチンコ機を構成する遊技盤の正面図。
【図３】本発明の棒状発光装置を示す斜視図。
【図４】同棒状発光装置を構成する装置本体の平面図。
【図５】図４におけるＶ−Ｖ断面図。
【図６】図４の装置本体の組立分解図。
【図７】図４の装置本体を構成する導光ロッドの平面図。
【図８】図７におけるＶＩＩＩ−ＶＩＩＩ断面図。
【図９】図７におけるＩＸ−ＩＸ断面図。
【図１０】ベース部材の平面図。
【図１１】導光ロッドの固定状態とＬＥＤ基板の支持状態を説明するための平面図。
【図１２】ＬＥＤ基板の支持状態を説明するための斜視図。
【図１３】図１１のＸＩＩＩ−ＸＩＩＩ方向に相当する方向での装置本体の縦断面図であって、その要部を示す縦断面図。
【図１４】検出片と光電スイッチの位置関係を説明するための平面図。
【符号の説明】
【００９３】
４０：棒状発光装置，４２：導光ロッド，６０：第一のハウジング構成部材，６１：電動モータ，６２：第二のハウジング構成部材，６４：第三のハウジング構成部材，６６：駆動軸，８４：フルカラーＬＥＤ，８６：ＬＥＤ基板，１００：内面，１１１：光電スイッチ
【図１】
2007319239.tif 000003
【図２】
2007319239.tif 000004
【図３】
2007319239.tif 000005
【図４】
2007319239.tif 000006
【図５】
2007319239.tif 000007
【図６】
2007319239.tif 000008
【図７】
2007319239.tif 000009
【図８】
2007319239.tif 000010
【図９】
2007319239.tif 000011
【図１０】
2007319239.tif 000012
【図１１】
2007319239.tif 000013
【図１２】
2007319239.tif 000014
【図１３】
2007319239.tif 000015
【図１４】
2007319239.tif 000016